(57)【要約】【課題】スクリーンショットをシェアする送信装置、方法、および、そのコンピュータ読み取り可能媒体を提供する。【解決手段】スクリーンショットをシェアする送信装置は、検出モジュール、制御モジュール、および、ワイヤレスネットワークインターフェースを含む。検出モジュールは、バックグラウンドで、ユーザーがスクリーンショット操作を実行するか検出し、対応するトリガー信号を出力する。制御モジュールと検出モジュールは電気的に接続して、検出モジュールが出力するトリガー信号に従って、キャプチャされた最新のスクリーンショットを読み取る。ワイヤレスネットワークインターフェースと制御モジュールは電気的に接続して、送信装置と受信装置との間に無線ネットワーク接続を構築すると共に、スクリーンショットを受信装置に伝送する。上述の送信装置は、ユーザーの操作を簡潔にして、スクリーンショットをシェアすることができる。【選択図】図１
2013240049.tif 000002
【特許請求の範囲】
【請求項１】
受信装置と共にスクリーンショットシェアシステムを構成するスクリーンショットをシェアする送信装置であって、前記送信装置は、
バックグラウンドで、ユーザーがスクリーンショット操作を実行するか検出し、対応するトリガー信号を出力する検出モジュール、
前記検出モジュールと電気的に接続して、前記トリガー信号に従って、キャプチャされた最新のスクリーンショットを読み取る制御モジュール、および、
前記制御モジュールと電気的に接続して、前記送信装置と前記受信装置との間に無線ネットワーク接続を構築し、前記スクリーンショットを前記受信装置に伝送するワイヤレスネットワークインターフェース、
を含むことを特徴とする送信装置。
【請求項２】
更に、
前記制御モジュールと電気的に接続して、前記スクリーンショットを符号化する符号化モジュールを含むことを特徴とする請求項１に記載のスクリーンショットをシェアする送信装置。
【請求項３】
前記受信装置は、内蔵、または、外接されたディスプレイモジュールを含み、前記スクリーンショットを表示することを特徴とする請求項１又は２に記載のスクリーンショットをシェアする送信装置。
【請求項４】
前記無線ネットワーク接続は、IEEE ８０２.１１シリーズの通信標準に従うことを特徴とする請求項１から３何れかの一項に記載のスクリーンショットをシェアする送信装置。
【請求項５】
スクリーンショットをシェアする方法であって、
送信装置と受信装置との間に無線ネットワーク接続を構築する工程、
前記送信装置が、バックグラウンドで、ユーザーがスクリーンショット操作を実行するか検出し、実行する場合、前記送信装置が、キャプチャされた最新のスクリーンショットを読み取り、そうでない場合、検出を継続する工程、
前記送信装置が、前記スクリーンショットを前記受信装置に伝送する工程、および、
前記受信装置が、内蔵、または、外接されたディスプレイモジュールにより、前記スクリーンショットを表示する工程、
を含むことを特徴とする方法。
【請求項６】
更に、
前記送信装置が、前記スクリーンショットを符号化する工程を含むことを特徴とする請求項５に記載のスクリーンショットをシェアする方法。
【請求項７】
前記無線ネットワーク接続は、IEEE ８０２.１１シリーズの通信標準に従うことを特徴とする請求項５又は６に記載のスクリーンショットをシェアする方法。
【請求項８】
送信装置で実現するスクリーンショットの伝送方法であって、前記方法は、
前記送信装置と受信装置との間に無線ネットワーク接続を構築する工程、
バックグラウンドで、ユーザーがスクリーンショット操作を実行するか検出し、実行する場合、キャプチャされた最新のスクリーンショットを読み取り、そうでなければ、検出を継続する工程、および、
前記スクリーンショットを前記受信装置に伝送する工程、
を含むことを特徴とする方法。
【請求項９】
更に、
前記スクリーンショットを符号化する工程を含むことを特徴とする請求項８に記載のスクリーンショットの伝送方法。
【請求項１０】
前記無線ネットワーク接続は、IEEE ８０２.１１シリーズの通信標準に従うことを特徴とする請求項８又は９に記載のスクリーンショットの伝送方法。
【請求項１１】
コンピュータに、請求項８から１０の何れか１項に記載のスクリーンショットの伝送方法を実行させるためのプログラム。
【発明の詳細な説明】
【技術分野】
【０００１】
本発明は、スクリーンショットをシェアする送信装置、および、方法に関するものであって、特に、ユーザー操作を簡潔にし、スクリーンショットをシェアする送信装置、および、方法に関するものである。
【背景技術】
【０００２】
スマートフォン(smart phone)、および、タブレット型コンピュータ(tablet computer)等のハンドヘルド装置が急速に普及し、ハンドヘルド装置上の内容は、ますます多元化し、ハンドヘルド装置のディスプレイ画面をシェアする機会も増加している。ハンドヘルド装置のスクリーンショット(screenshot)機能を利用することにより、ユーザーは、ゲームのクリア画面をキャプチャし、さらに、通信ソフトウェアを用いて、キャプチャしたディスプレイ画面を友人やその他の人にあげる、または、教師が、アプリケーションプログラムの特定操作画面をキャプチャして、教学用にする。しかし、ユーザーは、別の操作をしないと、スクリーンショットを人とシェアしたり、コンピュータ、テレビやプロジェクタに伝送して表示したりすることができないので、使用にとって、不便である。
【０００３】
たとえば、教師はアプリケーションプログラムを使用し、授業をしている時に、学生に深く理解させるために、特定の操作画面を表示する必要がある。従来の方式は、アプリケーションプログラムの操作のスクリーンショットを、予め、一枚ずつ保存するかスライドを製作していたことである。しかし、このような方式は、各種の突発状況、たとえば、学生による質問に対応し、即時に特定の操作画面を表示することができない。もうひとつのスクリーンショットの伝送方式は、一枚の画像を切り取る毎にプログラムを切り換えて、キャプチャしたスクリーンショットをその他の表示装置に伝送する。その後、指導したいアプリケーションプログラムに戻して、次の特定操作画面をキャプチャして、教学過程を継続する。上述の方式は、プログラム切り換え過程で、教学過程が一貫せず、教学のリズムに影響する。
【０００４】
よって、どのようにして、ユーザー操作を簡潔にして、スクリーンショットをシェアできるようにするかが課題である。
【発明の概要】
【発明が解決しようとする課題】
【０００５】
本発明は、スクリーンショットをシェアする送信装置、方法、および、そのコンピュータ読み取り可能媒体を提供し、送信端にてユーザーがスクリーンショット操作を実行するか検出すると共に、スクリーンショット操作実行後、キャプチャした最新スクリーンショットを自動で読み取り、受信端に伝送し、これにより、ユーザーの操作を簡潔にして、スクリーンショットをシェアすることを目的とする。
【課題を解決するための手段】
【０００６】
本発明の第一実施例によるスクリーンショットをシェアする送信装置は、受信装置と共に、スクリーンショットシェアシステムを構成する。送信装置は、検出モジュール、制御モジュール、および、ワイヤレスネットワークインターフェースを含む。検出モジュールは、バックグラウンドで、ユーザーがスクリーンショット操作を実行するか検出し、それに対応するトリガー信号を出力する。制御モジュールと検出モジュールは電気的に接続して、検出モジュールが出力するトリガー信号に従って、キャプチャされた最新のスクリーンショットを読み取る。ワイヤレスネットワークインターフェースと制御モジュールは電気的に接続して、送信装置と受信装置との間に無線ネットワーク接続を構築し、スクリーンショットを受信装置に伝送する。
【０００７】
本発明の第二実施例によるスクリーンショットをシェアする方法は、送信装置と受信装置との間に無線ネットワーク接続を構築する工程と、送信装置が、バックグラウンドで、ユーザーがスクリーンショット操作を実行するか検出し、実行を検出する場合、送信装置が、キャプチャされた最新のスクリーンショットを読み取り、実行しない場合、検出を継続する工程と、送信装置が、キャプチャしたスクリーンショットを受信装置に伝送する工程、および、受信装置が、内蔵され、または、外接されたディスプレイモジュールにより、送信装置から伝送するスクリーンショットを表示する工程、を含む。
【０００８】
本発明の第三実施例によるスクリーンショットの伝送方法は送信装置で実現する。スクリーンショットの伝送方法は、送信装置と受信装置との間に無線ネットワーク接続を構築する工程と、バックグラウンドで、ユーザーがスクリーンショット操作を実行するか検出し、実行を検出する場合、キャプチャされた最新のスクリーンショットを読み取り、実行しない場合、検出を継続する工程、および、キャプチャしたスクリーンショットを受信装置に伝送する工程、を含む。
【０００９】
本発明の第四実施例によるコンピュータ読み取り可能媒体はコンピュータプログラムを保存する。コンピュータプログラムは送信装置にロードされて、スクリーンショットの伝送方法を実行し、送信装置と受信装置との間に無線ネットワーク接続を構築する工程と、バックグラウンドで、ユーザーがスクリーンショット操作を実行するか検出し、実行を検出する場合、キャプチャされた最新のスクリーンショットを読み取り、そうでなければ、検出を継続する工程、および、キャプチャしたスクリーンショットを受信装置に伝送する工程、を含む。
【００１０】
本発明の他の目的及び利点は、以下の本発明の好ましい実施形態の詳細な説明及び添付図面及び特許請求の範囲から明らかになるであろう。
【発明の効果】
【００１１】
ユーザー操作が簡潔になる。
【図面の簡単な説明】
【００１２】
【図１】本発明の一つの実施例によるスクリーンショットをシェアする送信装置を示す図である。
【図２】本発明の一つの実施例によるスクリーンショットをシェアする方法のフローチャートである。
【図３】本発明の一つの実施例によるスクリーンショットの伝送方法のフローチャートである。
【発明を実施するための形態】
【００１３】
図１を参照すると、本発明の実施例によるスクリーンショットをシェアする送信装置１０は、受信装置２０とスクリーンショットシェアシステムを構成する。たとえば、送信装置１０は、スマートフォンやタブレット型コンピュータ等のハンドヘルド装置であるが、これに限定されない。送信装置１０は、検出モジュール１１、制御モジュール１２、および、ワイヤレスネットワークインターフェース１３を含む。検出モジュール１１は、バックグラウンドで、ユーザーが送信装置１０上でスクリーンショット操作を実行するか検出する。ユーザーがスクリーンショット操作を実行することを検出する場合、検出モジュール１１は対応するトリガー信号を出力する。たとえば、ハンドヘルド装置の異なる作業システムかソフトウェア設定により、ユーザーは、予め設定された指令を入力して、スクリーンショット機能を実行することができ、検出モジュール１１は、バックグラウンドで、ヒューマンインターフェースデバイス(Human Interface Device，HID)、たとえば、タッチインターフェース、キー等の入力装置の入力信号を検出して、ユーザーがスクリーンショット操作中であるか判断する。
【００１４】
制御モジュール１２と検出モジュール１１は電気的に接続して、検出モジュール１１が出力するトリガー信号に従って、キャプチャされた最新のスクリーンショットを読み取る。たとえば、ハンドヘルド装置の異なる作業システムやソフトウェア設定により、システムがキャプチャしたスクリーンショットは、予め設定された保存経路に保存される。制御モジュール１２は、この保存経路内の最新図を読み取って、最新のスクリーンショットとする。ワイヤレスネットワークインターフェース１３と制御モジュール１２は電気的に接続し、送信装置１０と受信装置２０との間に無線ネットワーク接続を構築する。たとえば、無線ネットワーク接続はIEEE ８０２.１１シリーズの通信標準に従う。制御モジュール１２は、読み取られる最新スクリーンショットを、ワイヤレスネットワークインターフェース１３により、受信装置２０に伝送する。受信装置２０は、内蔵、または、外接されたディスプレイモジュール３０を利用して、送信装置１０から伝送するスクリーンショットを表示する。たとえば、受信装置２０はハンドヘルド装置であり、内蔵されたディスプレイユニットにより、送信装置１０から伝送するスクリーンショットを表示する。または、受信装置２０は、ビデオグラフィックスアレイ(Video Graphic Array，VGA)接続ポート、デジタルビジュアルインターフェース(Digital Visual Interface，DVI)、または、高解像度マルチメディアインターフェース(High Definition Multimedia Interface，HDMI（登録商標）)等のビデオ接続インターフェースにより、コンピュータディスプレイ、テレビやプロジェクタ等の表示装置と接続し、送信装置１０から伝送するスクリーンショットを表示する。
【００１５】
一般に、スクリーンショットは、作業システムにより、ソフトウェアプログラムを用いて取得され、これにより、取得されたスクリーンショットは、ロスレスの像である。バンド幅の制限や占用するバンド幅の減少のため、スクリーンショットは、まず、符号化されて、データ量を減少させてから伝送を実行する。一つの実施例中、本発明のスクリーンショットをシェアする送信装置は、制御モジュール１２と電気的に接続する符号化モジュール１４を含む。符号化モジュール１４は、制御モジュール１２が読み取るスクリーンショットを符号化して、データ量を減少させる。
【００１６】
図１と図２を参照し、本発明の一つの実施例によるスクリーンショットをシェアする方法を説明する。まず、送信装置１０と受信装置２０との間に無線ネットワーク接続を構築する(Ｓ２１)。たとえば、受信装置２０は、予め、ソフトウェアかハードウェアが実現するネットワーク接続モジュールを起動し、送信装置１０が、通信範囲内の受信装置２０をスキャンすると共に、相応しい受信装置２０を選択して、無線ネットワーク接続を構築する。または、送信装置１０が、予め、ネットワーク接続モジュールを起動し、次に、受信装置２０により、自主的に、送信装置１０と無線ネットワーク接続を構築する。続いて、送信装置１０は、バックグラウンドで、ユーザーの操作を検出し(Ｓ２２)、スクリーンショット操作であるか判断する(Ｓ２３)。スクリーンショット操作でない場合、工程Ｓ２２に戻り、ユーザーの操作を検出することを継続する。スクリーンショット操作である場合、送信装置１０は、キャプチャされた最新のスクリーンショットを読み取り(Ｓ２４)、キャプチャしたスクリーンショットを受信装置２０に伝送する(Ｓ２６)。好ましくは、送信装置１０は、スクリーンショットを伝送する前、まず、スクリーンショットを符号化して、データ量を減少させる(Ｓ２５)。最後に、受信装置２０は、内蔵、または、外接されたディスプレイモジュール３０により、送信装置１０から伝送するスクリーンショットを表示する(Ｓ２７)。
【００１７】
図１と図３を参照して、本発明の一つの実施例による送信装置１０で実現するスクリーンショットの伝送方法を説明する。まず、送信装置１０と受信装置２０との間に無線ネットワーク接続を構築する(Ｓ３１)。続いて、バックグラウンドで、ユーザーの操作を検出し(Ｓ３２)、スクリーンショット操作か判断する(Ｓ３３)。スクリーンショット操作でない場合、工程Ｓ３２に戻り、ユーザーの操作を検出ことを継続する。スクリーンショット操作である場合、送信装置１０はキャプチャされた最新のスクリーンショットを読み取り(Ｓ３４)、キャプチャしたスクリーンショットを受信装置２０に伝送する(Ｓ３６)。好ましくは、送信装置１０がスクリーンショットを伝送する前、スクリーンショットに符号化を実行して、データ量を減少させる (Ｓ３５)。
【００１８】
本発明は、コンピュータプログラムを保存するコンピュータ読み取り可能媒体も開示する。このコンピュータプログラムは送信装置によりロードされ、図３に示されるスクリーンショットの伝送方法を実行する。図３に示されるスクリーンショットの伝送方法の詳細工程は前述したので、ここで詳述しない。
【００１９】
総合すると、本発明のスクリーンショットをシェアする送信装置、方法、および、そのコンピュータ読み取り可能媒体は、送信端で、ユーザーがスクリーンショット操作を実行するか検出し、スクリーンショット操作実行後、キャプチャした最新スクリーンショットを自動で読み取りすると共に、送信端と直接接続する受信端に伝送し、これにより、ユーザーの操作を簡潔にして、スクリーンショットをシェアする。たとえば、本発明の送信端は、従来の通信ソフトウェアのように、受信端の電話番号やメールアドレス等の個人情報を知る必要がなく、ポイントツーポイントの無線ネットワーク接続により、直接、スクリーンショットをシェアすることができる；または、ユーザーは、予め、スクリーンショットを準備したり、または、プログラムを繰り返し切り換えなくても、アプリケーションプログラムの操作画面をシェアして、教学を実行することができる。
【００２０】
本発明では好ましい実施例を前述の通り開示したが、これらは決して本発明に限定するものではなく、当該技術を熟知する者なら誰でも、本発明の精神と領域を脱しない範囲内で各種の変動や修飾を加えることができ、従って本発明の保護範囲は、特許請求の範囲で指定した内容を基準とする。
【符号の説明】
【００２１】
１０  送信装置
１１  検出モジュール
１２  制御モジュール
１３  ワイヤレスネットワークインターフェース
１４  符号化モジュール
２０  受信装置
３０  ディスプレイモジュール
Ｓ２１〜Ｓ２７  スクリーンショットのシェア工程
Ｓ３１〜Ｓ３６  スクリーンショットの伝送工程
【図１】
2013240049.tif 000003
【図２】
2013240049.tif 000004
【図３】
2013240049.tif 000005